(57)【要約】【課題】マナーモード設定の操作の煩わしさを解消する携帯電話機およびマナーモード制御方法を提供する。【解決手段】使用者が電車に乗車するときには、着信音が鳴らないよう、下車後には着信音が鳴るように設定するマナーモードを有する携帯電話機であって、基地局から携帯電話機へ送信される位置情報により、ネットワークサーバより基地局からの位置情報の地区を含む地域近辺の判断基準時間リストを受信して、その中から位置情報の地区に該当する判断基準時間を選択して携帯電話機のマナーモード制御回路部へ設定し、判断基準時間内に、１つの基地局から隣接する他の基地局へ移動するときの受信チャンネルの切り替えが発生した場合には、マナーモード機能をＯＮにする手段と、判断基準時間内に受信チャンネルが切り替わらなかった場合には、マナーモード機能をＯＦＦにする手段とを備える。【選択図】        図１
2004364061.tif 000002
【特許請求の範囲】
【請求項１】
使用者が電車に乗車中は着信音が鳴らず、前記使用者が前記電車から下車したときは前記着信音が鳴るように設定するマナーモードを備える携帯電話機であって、
前記使用者が前記電車に乗車中、１の基地局から隣接する他の基地局へ移動する場合、受信チャンネルの切り替わる状態を認識し、ある一定の時間である判断基準時間内に前記受信チャンネルの切り替えを受信したときには、前記使用者の操作を要せずにマナーモードをオンに設定し、前記判断基準時間内に前記受信チャンネルの切り替えを受信しなかったときには、前記使用者の操作を要せずに前記マナーモードをオフに設定するマナーモード自動制御手段を有することを特徴とする携帯電話機。
【請求項２】
前記マナーモード自動制御手段は、
前記マナーモードのオン／オフを設定するマナーモード制御回路部と、
前記受信チャンネルの周波数を識別する受信チャンネル判別回路部と、
前記受信チャンネルが切り替わった後、前記判断基準時間を計測するためのマナーモードタイマ回路部と、
移動先の前記基地局から送信される位置情報により、前記位置情報の地域近辺の判断基準時間を示した判断基準時間リストをネットワークサーバから受信し、前記判断基準時間リストから前記位置情報に該当する地区の判断基準時間を選択して前記マナーモード制御回路部へ設定する位置情報判別回路部とを有し、
前記マナーモード制御回路部は、前記判断基準時間の設定および前記判断基準時間内での前記受信チャンネルの切り替え発生の有無により、前記使用者が前記電車に乗車中であるか否かを判断し、前記使用者の操作を要せずに前記マナーモードのオン／オフの設定を行うことを特徴とする請求項１記載の携帯電話機。
【請求項３】
前記マナーモード制御回路部は、前記判断基準時間内に前記受信チャンネルの切り替えが発生する場合は、前記マナーモードをオンにし、前記判断基準時間内に前記受信チャンネルの切り替えが発生しない場合は、前記マナーモードをオフにする制御を行うことを特徴とする請求項２記載のマナーモード制御機能付携帯電話機。
【請求項４】
前記位置情報判別回路部は、前記移動先の基地局からの位置情報と、
予め全国各地の平均的な電車速度、平均的な駅数、平均的な電車の停車時間、平均的な基地局間隔および前記基地局の電波圏内の範囲より算出された前記判断基準時間を管理している前記ネットワークサーバから、前記基地局からの位置情報の地区を含めた地域近辺の前記判断基準時間リストと、を受信し、
受信した前記位置情報の地区に該当する判断基準時間を選択して設定し、前記判断基準時間内での前記基地局からの受信チャンネルの切り替えの有無を認識することを特徴とする請求項２記載の携帯電話機。
【請求項５】
前記判断基準時間は、前記使用者のキー操作によって予め設定されることを特徴とする請求項１から４のいずれか１項に記載の携帯電話機。
【請求項６】
前記位置情報は、ＧＰＳを用いて取得することを特徴とする請求項２または４記載の携帯電話機。
【請求項７】
前記マナーモード制御回路部の有効無効の設定は、前記使用者のキー操作による選択によって設定されることを特徴とする請求項１から６のいずれか１項に記載の携帯電話機。
【請求項８】
前記使用者の手動操作による、従来技術のマナーモードを前記使用者によって選択設定されることを特徴とする請求項１から７のいずれか１項に記載の携帯電話機。
【請求項９】
使用者が電車に乗車するときには着信音が鳴らないように設定し、前記使用者が下車したときに前記着信音が鳴るように設定するマナーモードを有する携帯電話機で使用されるマナーモード制御方法であって、
基地局から受信する位置情報に基づいて、該位置情報の地区の平均的な電車速度、平均的な駅数、平均的な電車の停車時間、平均的な基地局間隔および平均的な基地局の電波圏の範囲により算出された判断基準時間を管理しているネットワークサーバから、前記位置情報の地区を含む地域近辺の判断基準時間リストを受信し、
該判断基準時間リストの中から前記位置情報の地区の判断基準時間を選択し、
前記使用者が乗車中に、ひとつの基地局から隣接する他の基地局へ移動する場合、該判断基準時間内に受信チャンネルの切り替えが発生したときには、前記マナーモードをオンに設定し、
前記判断基準時間内に受信チャンネルが切り替わらなかったときには、前記マナーモードをオフにする制御を行うことを特徴とするマナーモード制御方法。
【発明の詳細な説明】
【０００１】
【発明の属する技術分野】
本発明は、携帯電話に関し、特に携帯電話機の使用者が電車に乗車中は、着信音が鳴らず、使用者が電車から下車したときには、着信音が鳴るように設定できるマナーモードを備える携帯電話機およびマナーモード制御方法に関する。
【０００２】
【従来の技術】
携帯電話機においては、着呼時、あるいはメッセージ受信時に着信音機能を有するものがあるが、使用者が電車に乗車中に、着信音が動作して周囲の人々に不快感を与えてしまう恐れがある。この問題を回避すべく携帯電話機には、マナーモード機能を有しているものがあり、使用者が電車へ乗車、あるいは下車する毎に、使用者によるマナーモード機能のＯＮ／ＯＦＦスイッチの操作で対応していた。
【０００３】
図８は、従来の技術による携帯電話機のブロック図である。使用者は、電車に乗車する毎に、キースイッチ８０６を操作して制御回路８０５にてマナーモード設定をＯＮにしていた。また使用者は、電車から下車する毎にキースイッチ８０６を操作して制御回路８０５にてマナーモード設定をＯＦＦにしていた。
【０００４】
上記従来技術例として、電車に乗車しているときは着信音が鳴らないように自動的にマナーモードを設定し、下車後には自動的にマナーモードを解除する「携帯電話機およびそのマナーモード制御方法」がある（例えば、特許文献１参照）。また、図書館、列車内等の特定のエリアでも使用者が意識することなく、移動局である携帯電話を所持することができる「携帯電話システム」がある（例えば、特許文献２参照）。
【０００５】
【特許文献１】
特開２００３−６１１５３号公報
【特許文献２】
特開平９−２４７７４９号公報
【０００６】
【発明が解決しようとする課題】
しかしながら、使用者が電車に乗車するとき、マナーモード機能をＯＮにする操作を忘れてしまい着信音が鳴ってしまった場合、周囲の人々へ不快感を与えてしまう。さらには、使用者が電車から下車後、マナーモード機能をＯＦＦにする操作を忘れてしまった場合、使用者が、電話あるいはメッセージ受信を感知できない恐れがある。また、使用者がマナーモード機能のＯＮ／ＯＦＦ操作を忘れていない場合においても、電車の乗車と下車毎に行うマナーモード設定の操作は、使用者への煩わしさを伴っていた。
【０００７】
また、上記特許文献１記載の発明は、判定基準時間を予め携帯端末に記憶しておくものであるので、メモリ容量の都合上、日本全国、あるいは広域にわたっての判定基準時間を都市内、都市郊外、地方別の３パターン程度しか用意されず、精度に不安が残る。また、全国各地の判定基準時間を１つの携帯端末に記憶させておく方法も考えられるが、メモリ容量の関係上、非現実的である。
【０００８】
また、上記特許文献２記載の発明は、基地局側でエリア別に携帯端末の着信動作を管理する方法であり、判定基準時間を元にして着信音の動作を制御することはできない。
【０００９】
本発明は、上記従来の課題を解決すべく、なされたものであり、使用者が電車に乗車するときに、使用者の携帯電話機のマナーモード機能が自動的にＯＮへ設定され、使用者が下車するときには、マナーモード機能が自動的にＯＦＦするマナーモード制御を行う携帯電話機およびマナーモード制御方法を提供することを目的とする。
【００１０】
【課題を解決するための手段】
かかる目的を達成するために、請求項１記載の発明は、使用者が電車に乗車中は着信音が鳴らず、使用者が電車から下車したときは着信音が鳴るように設定するマナーモードを備える携帯電話機であって、使用者が電車に乗車中、１の基地局から隣接する他の基地局へ移動する場合、受信チャンネルの切り替わる状態を認識し、ある一定の時間である判断基準時間内に受信チャンネルの切り替えを受信したときには、使用者の操作を要せずにマナーモードをオンに設定し、判断基準時間内に受信チャンネルの切り替えを受信しなかったときには、使用者の操作を要せずにマナーモードをオフに設定するマナーモード自動制御手段を有することを特徴とする。
【００１１】
請求項２記載の発明は、請求項１記載の発明において、マナーモード自動制御手段は、マナーモードのオン／オフを設定するマナーモード制御回路部と、受信チャンネルの周波数を識別する受信チャンネル判別回路部と、受信チャンネルが切り替わった後、判断基準時間を計測するためのマナーモードタイマ回路部と、移動先の基地局から送信される位置情報により、位置情報の地域近辺の判断基準時間を示した判断基準時間リストをネットワークサーバから受信し、判断基準時間リストから位置情報に該当する地区の判断基準時間を選択してマナーモード制御回路部へ設定する位置情報判別回路部とを有し、マナーモード制御回路部は、判断基準時間の設定および判断基準時間内での受信チャンネルの切り替え発生の有無により、使用者が電車に乗車中であるか否かを判断し、使用者の操作を要せずに前記マナーモードのオン／オフの設定を行うことを特徴とする。
【００１２】
請求項３記載の発明は、請求項２記載の発明において、マナーモード制御回路部は、判断基準時間内に受信チャンネルの切り替えが発生する場合は、マナーモードをオンにし、判断基準時間内に受信チャンネルの切り替えが発生しない場合は、マナーモードをオフにする制御を行うことを特徴とする。
【００１３】
請求項４記載の発明は、請求項２記載の発明において、位置情報判別回路部は、移動先の基地局からの位置情報と、予め全国各地の平均的な電車速度、平均的な駅数、平均的な電車の停車時間、平均的な基地局間隔および基地局の電波圏内の範囲より算出された判断基準時間を管理しているネットワークサーバから、基地局からの位置情報の地区を含めた地域近辺の判断基準時間リストとを受信し、受信した位置情報の地区に該当する判断基準時間を選択して設定し、判断基準時間内での基地局からの受信チャンネルの切り替えの有無を認識することを特徴とする。
【００１４】
請求項５記載の発明は、請求項１から４のいずれか１項に記載の発明において、判断基準時間は、使用者のキー操作によって予め設定されることを特徴とする。
【００１５】
請求項６記載の発明は、請求項２または４記載の発明において、位置情報は、ＧＰＳを用いて取得することを特徴とする。
【００１６】
請求項７記載の発明は、請求項１から６のいずれか１項に記載の発明において、マナーモード制御回路部の有効無効の設定は、使用者のキー操作による選択によって設定されることを特徴とする。
【００１７】
請求項８記載の発明は、請求項１から７のいずれか１項に記載の発明において、使用者の手動操作による、従来技術のマナーモードを使用者によって選択設定されることを特徴とする。
【００１８】
請求項９記載の発明は、使用者が電車に乗車するときには着信音が鳴らないように設定し、使用者が下車したときに着信音が鳴るように設定するマナーモードを有する携帯電話機で使用されるマナーモード制御方法であって、基地局から受信する位置情報に基づいて、位置情報の地区の平均的な電車速度、平均的な駅数、平均的な電車の停車時間、平均的な基地局間隔および平均的な基地局の電波圏の範囲により算出された判断基準時間を管理しているネットワークサーバから、位置情報の地区を含む地域近辺の判断基準時間リストを受信し、判断基準時間リストの中から位置情報の地区の判断基準時間を選択し、使用者が乗車中に、ひとつの基地局から隣接する他の基地局へ移動する場合、判断基準時間内に受信チャンネルの切り替えが発生したときには、マナーモードをオンに設定し、判断基準時間内に受信チャンネルが切り替わらなかったときには、マナーモードをオフにする制御を行うことを特徴とする。
【００１９】
以上のように、本発明の携帯電話機は、使用者が電車に乗車するときには、着信音が鳴らないよう、下車後には着信音が鳴るように設定するマナーモード制御機能を持つマナーモード制御機能付携帯電話機について、基地局から携帯電話機へ送信される位置情報に基づいて、その位置情報の地区の平均的な電車速度、平均的な駅数、平均的な電車の停車時間、平均的な基地局間隔、平均的な基地局の電波圏の範囲より算出された判断基準時間を管理しているネットワークサーバから位置情報の地区を含む地域近辺の判断基準時間リストを受信し、その中から該当する位置情報の地区の判断基準時間を選択し、その判断基準時間内に、ひとつの基地局から隣接する他の基地局へ移動するときの受信チャンネルの切り替えが発生した場合には、マナーモード機能をＯＮにする手段と、判断基準時間内に受信チャンネルが切り替わらなかった場合には、マナーモード機能をＯＦＦにする手段と、を備えた構成としてある。
【００２０】
上述の構成により、使用者が電車に乗車中である場合、判断基準時間内に１つの基地局から他の基地局への移動に伴った受信チャンネルの切り替えを認識して自動的にマナーモード機能をＯＮにし、使用者が電車から下車した場合には、判断基準内での受信チャンネルの切り替えが発生せず、自動的にマナーモード機能をＯＦＦに設定する手段を備えた本発明は、使用者によるマナーモード設定操作の必要がなく、マナーモード制御のＯＮ／ＯＦＦを自動的に行うことができる。
【００２１】
【発明の実施の形態】
以下、本発明の実施の形態について添付図面を参照して詳細に説明する。
【００２２】
図１は、本発明の実施形態であるマナーモード制御機能付携帯電話機の第１の実施例のブロック図である。図１において本実施例のマナーモード制御機能付携帯電話機は、アンテナ１と、無線通信制御を行う送受信回路２と、音声信号をデジタルあるいはデジタル信号を音声に変換する音声処理部３と、送受話器４と、受信チャンネルの切り替えを判別する受信チャンネル判別回路５と、基地局から送信されてくる位置情報を判断し、全国各地の判断基準時間を管理しているサーバからその位置情報の地区を含む地域近辺の判断基準時間リストを受信して、その中から該当する位置情報の地区の判断基準時間を選択する位置情報判別回路６と、受信チャンネル判別回路５が受信チャンネルを認識するまで判断基準時間を計測するマナーモードタイマ回路７と、判断基準時間の設定、マナーモード機能のＯＮ／ＯＦＦ制御を行うマナーモード制御回路８と、送信、設定、その他各種制御を行うための複数のキーからなるキースイッチ９と、送受信制御、音声処理制御、表示制御等、携帯電話機の各種制御を行う制御回路１０と、着信音出力回路１１と、ブザー１２と、ネットワークサーバからの全国各地の平均電車速度と平均駅数と平均停車時間と平均基地局間隔と基地局の平均電波圏範囲に基づき算出され設定された各地域の判断基準時間リスト、基地局からの位置情報、および着信履歴や電話番号、各種データの設定値を記憶する記憶回路１３と、表示部１４を備えている。
【００２３】
次に、本発明の実施形態である携帯端末の動作について説明する。ネットワークサーバには予め、全国各地の平均電車速度と平均駅数と平均停車時間と平均基地局間隔と基地局の平均電波圏範囲に基づき算出され設定された全国各地域の判断基準時間リストが管理されている。
【００２４】
位置情報判別回路６は、基地局から送信されてくる位置情報により使用者がどこの地域にいるのかを判断し、その位置情報の地区に該当する判断基準時間を設定するために、その位置情報の地区を含んだ地域近辺の判断基準時間リストを上述のネットワークサーバから読み出し記憶回路１３へ記憶する。位置情報判別回路６は、その判断基準時間リストの中から位置情報の地区に該当する判断基準時間を選択してマナーモード制御回路８へ設定する。なお、位置情報判別回路６は、基地からの位置情報が更新時に変化されると記憶回路１３に記憶された判断基準時間リストを参照し、該当する位置情報の地区の判断基準時間があれば、その判断基準時間をマナーモード制御回路８へ設定する。
【００２５】
判断基準時間リストに該当する位置情報の地区の判断基準時間がなければ、ネットワークサーバへ再度要求して該当する位置情報の地区を含んだ判断基準時間リストを受信し、記憶回路１３の判断基準時間リストを更新する。そして位置情報判別回路６は、記憶回路１３の更新された判断基準時間リストより該当する位置情報の地区の判断基準時間を選択してマナーモード制御回路８へ設定する。
【００２６】
アンテナ１および送受信回路２により基地局からの着信呼出信号が検出されると、受信チャンネル判別回路５は、マナーモード制御回路８へ受信チャンネル切り替え判別信号を出力する。
【００２７】
マナーモードタイマ回路７が計測する前記の判断基準時間内に受信チャンネルが切り替わった場合には、使用者が電車に乗車中であると判断され、マナーモード制御回路８が、制御回路１０へマナーモード機能制御信号を出力してマナーモード機能をＯＮに設定する。制御回路１０は、着信音を鳴らさないよう、着信音出力回路１２へ着信音制御信号を出力して着信音出力回路１２をＯＦＦに設定する。
【００２８】
マナーモードタイマ回路７が計測する前記の判断基準時間内に受信チャンネルの切り替えがなかった場合には、使用者が電車で移動していないと判断され、マナーモード制御回路８が、制御回路１０へマナーモード制御信号を出力してマナーモード機能をＯＦＦに設定する。制御回路１０は、着呼、もしくはメッセージ受信時に着信音が鳴るように、着信音出力回路１２へ着信音制御信号を出力して着信音出力回路１２をＯＮに設定する。そのことによりブザー１２が動作し着信音が鳴る。
【００２９】
図２は、携帯電話システムの基地局２１、基地局２２、基地局２３、と各基地局の携帯電話使用範囲を示す電波圏内２４、電波圏内２５、電波圏内２６、そして携帯電話機２７を所持した使用者の移動を電車線路２８で示している。
【００３０】
携帯電話機２７を所持した使用者が電車に乗車、電波圏内２４内に位置しているとき、携帯電話機２７は、基地局２１からの位置情報、および受信チャンネルを受信する。またその位置情報によりネットワークサーバからその位置情報の地区を含む地域近辺の判断基準時間リストを受信し記憶、その判断基準時間リストから位置情報の地区に該当する判断基準時間を携帯電話機２７のマナーモード制御回路部へ設定する。
【００３１】
次に、携帯電話機２７の使用者が電車に乗って、判断基準時間内に電波圏内２５内に移動したとき、携帯電話機２７は、基地局２１から基地局２２へ切り替わった受信チャンネルを受信する。同時に携帯電話機２７の受信する位置情報も基地局２１から基地局２２へ切り替わる。
【００３２】
携帯電話機２７は、判断基準時間内の受信チャンネルの切り替えの有無を認識して使用者が電車に乗車中か否かを判断する。つまり、判断基準時間内に受信チャンネルの切り替えがある場合、携帯電話機２７は、使用者が電車に乗車中であると判断する。そして、携帯電話機２７は、マナーモード制御回路部により制御回路部へマナーモード制御信号を出力することにより自動的にマナーモードをＯＮにする。
【００３３】
判断基準時間内に受信チャンネルの切り替えがない場合、携帯電話機２７は、使用者が電車に乗車中ではないと判断する。そして、携帯電話機２７は、マナーモード制御回路部により制御回路へマナーモード制御信号を出力することにより自動的にマナーモードをＯＦＦにする。
【００３４】
図３は、マナーモード制御機能付携帯電話機に関する位置情報、判断基準時間リスト、判断基準時間の設定方法の一例である。基地局３１から送信されてくる位置情報３２と、携帯電話機３３と、携帯電話機に設定された位置情報３４と、判断基準時間リスト３５と、判断基準時間３６と、ネットワークサーバ３７を示す。
【００３５】
各基地局の間隔は、都市部では３ｋｍ前後、地方では、１０Ｋｍ前後とした場合、その地域に適した判断基準時間を設定する必要がある。具体的な一例として電車の平均速度を４０Ｋｍ／ｈとすると、都市部では基地局の間隔を３ｋｍとしたときの受信チャンネルが切り替わる判断基準時間は、４．５分間となる。同様に、地方での基地局の間隔を１０ｋｍとしたときの判断基準時間は１５分間となる。予めネットワークサーバにて管理される全国各地の判断基準時間リストでは、全国各地の平均電車速度と平均駅数と平均停車時間と平均基地局間隔と基地局の平均電波圏範囲や受信チャンネル切り替えの間隔の時間の誤差、地域のばらつき誤差を考慮して若干の猶予時間を含めて設定する。
【００３６】
ここでは、その一例として判断基準時間リスト３５の示す内容で説明をする。
携帯電話機３３は、基地局３１からの位置情報３２を受信し位置情報３４の設定をする（Ｓ１）。そして携帯電話機３３は、位置情報３４をネットワークサーバ３７へ送信する（Ｓ２）。ネットワークサーバ３７は、携帯電話機３３から送信されてきた位置情報３４を含む地域近辺の判断基準時間リスト３５を携帯電話機３３へ送信する（Ｓ３）。携帯電話機３３は、受信した判断基準時間リスト３５から位置情報３４に該当する判断基準時間３６を選択し設定する（Ｓ４）。
【００３７】
次に、本発明であるマナーモード制御機能付携帯電話機の制御を示すフローチャートである図４を用いて説明をする。
【００３８】
使用者が本発明であるマナーモード制御機能を有効に設定すると、マナーモード制御機能が、使用者を乗車中であるか否かをただちに判断し、乗車中と判断される場合にはマナーモード機能をＯＮに、下車したと判断される場合には、マナーモード機能をＯＦＦに設定する。したがって、マナーモード制御機能の有効無効設定前の携帯電話機のマナーモード機能のＯＮ／ＯＦＦ設定はどちらでもよい。（ステップ４１）
【００３９】
使用者は、携帯電話機のキー操作によって、本発明の自動的にマナーモードのＯＮ／ＯＦＦを行うためのマナーモード制御機能の有効か無効かを選択する（ステップ４２）。有効が選択された場合には、下記説明のフロー動作となる。無効が選択された場合には、従来の技術にある使用者が電車乗車、下車毎にマナーモードの有効無効のキー操作を行うことになる。
【００４０】
携帯電話機は、基地局からの位置情報を受信する（ステップ４３）。携帯電話機は、ステップ４３で受信した位置情報の地域近辺の判断基準時間リストをネットワークサーバへ要求し受信する（ステップ４４）。
【００４１】
携帯電話機は、ネットワークサーバより受信した判断基準時間リストから、携帯電話機の位置情報判別回路部により基地局からの位置情報の地区に該当する判断基準時間を選択して、マナーモード制御回路部へ設定する（ステップ４５）。
【００４２】
携帯電話機は、待ち受け時において、基地局から位置情報が送信された場合には常に受信できる（ステップ４６）。携帯電話機は、新規に受信した位置情報の内容が変化したか否かを比較する（ステップ４７）。変化した場合には、変化した位置情報の示す地区がステップ４４で受信した判断基準時間リストに含まれているか否かを確認する。含まれている場合には、判断基準時間リストから位置情報の地区の判断基準時間を選択し、マナーモード制御回路部へ再設定する。判断基準時間リストに含まれていない場合には、ネットワークサーバへ変化した位置情報の地区を含めたその地域近辺の判断基準時間リストを要求し受信する（ステップ４８）。
【００４３】
位置情報が変化していない場合、携帯電話機は、基地局からの受信チャンネルが切り替わったか否かを認識する（ステップ４９）。切り替わった場合には、下述の説明の通りである。切り替わらなかった場合には、携帯電話機は、マナーモードの設定をＯＦＦにする（ステップ５２）。そしてステップ４６の位置情報受信へ進む。
【００４４】
携帯電話機が、基地局からの受信チャンネルの切り替えを受信した場合、携帯電話機は、マナーモードタイマ回路部により時間計測を開始し、上述のステップ４５でマナーモード制御回路部に設定した判断基準時間内に次の受信チャンネルの切り替えが発生したか否かを認識する（ステップ５０）。
【００４５】
携帯電話機が、判断基準時間内に基地局からの受信チャンネルの切り替えを受信した場合、携帯電話機は、使用者が電車に乗車中であると判断してマナーモードの設定をＯＮにする（ステップ５１）。そしてステップ５０の判断基準時間内に受信チャンネルの切り替えの発生があったか否かの処理へ進み、ステップ５０からステップ５１の処理を繰り返す。
【００４６】
携帯電話機が、判断基準時間内に基地局からの受信チャンネルの切り替えを受信しなかった場合、携帯電話機は、使用者が電車から下車したと判断してマナーモードの設定をＯＦＦにする（ステップ５２）。そしてステップ４６の位置情報受信へ進み、それ以降の処理を繰り返す。
【００４７】
次に、本発明の他の実施形態について図５、図６、図７を用いて説明をする。
【００４８】
図５は本発明の別形態を示すブロック図である。基地局からの受信チャンネルの切り替え間隔時間と比較するための判断基準時間を、予め使用者がキースイッチ５０９を用いて位置情報入力回路５０６で記憶回路５１３へ設定することにより、使用者が電車に乗車あるいは下車に伴い、自動的にマナーモード制御のＯＮ／ＯＦＦを設定することができる。
【００４９】
図６は、使用者が判断基準時間を設定するときの携帯電話機のＬＣＤ画面６１である。使用者は、携帯電話機のキー操作によって設定バー６２を設定する。設定バー６２を上部に設定するほど、判断基準時間が短くなり都市部向けの設定となる。設定バー６２を下部に設定するほど判断基準時間が長くなり田舎向けの設定となる。そして、携帯電話機が判断基準時間内に基地局からの受信チャンネルの切り替えを認識した場合には、使用者が電車に乗車中であると判断し、マナーモード機能をＯＮに設定する。
【００５０】
図７は、携帯電話機が基地局からの受信チャンネルの切り替えを受信している状態を時間軸で示す。携帯電話機が判断基準時間７４の間に基地局からの受信チャンネルの切り替えを認識しなかった場合には、電車が駅に停車中である可能性もある。したがって、携帯電話機は、過去の受信チャンネル切り替え履歴７２、７３を２回以上有している場合に限り、さらに判断基準時間７４の一区間分である追加判断基準時間７５、待機し基地局からの受信チャンネルの切り替えが発生するか否かを認識する。追加判断基準時間７５内に、受信チャンネルの切り替えが発生した場合には、携帯電話機は、使用者を停車中の電車に乗車中であると判断し、マナーモード機能の設定のＯＮを保持する。受信チャンネルの切り替えを認識しなかった場合には、携帯電話機は、使用者を電車から下車したと判断し、マナーモード機能をＯＦＦへ設定する。
【００５１】
なお、位置情報の取得方法に関しては、ＧＰＳを用いて取得する方法もある。
【００５２】
【発明の効果】
以上説明したように、本発明によれば、使用者が電車で移動する際の基地局の切り替えに伴い受信チャンネル切り替え時間の間隔を計測し、かつ基地局からの位置情報を受信し、予めネットワークサーバより受信した判断基準時間リストの中から位置情報の地区に該当した判断基準時間を選択し、その判断基準時間内での受信チャンネルの切り替えの有無を認識することによって、自動的にマナーモード機能のＯＮ／ＯＦＦ制御を行うことが可能となり、使用者が電車に乗車した際、マナーモードの設定をＯＮにすることを忘れてしまい周囲の人々へ不快な思いをさせてしまったり、使用者が電車から下車したときにマナーモードの設定をＯＦＦにすることを忘れてしまい、電話着呼、もしくはメール着信したとき、使用者は認知できないことを避けることができる。
【００５３】
また、使用者は、電車に乗車する毎にマナーモードをＯＮに設定、もしくは電車から下車する毎にマナーモードをＯＦＦに設定する煩わしさから開放される。
【図面の簡単な説明】
【図１】本発明の携帯電話機の一実施形態を示すブロック図である。
【図２】携帯電話機が基地局から受信する受信チャンネルの切り替わりを説明するための図である。
【図３】携帯電話機が基地局から受信する位置情報とそれに対応する判断基準時間を説明するための図である。
【図４】本発明の携帯電話機のマナーモード制御を示すフローチャートである。
【図５】本発明の携帯電話機の別形態の実施例を示すブロック図である。
【図６】本発明の携帯電話機の別形態の実施例である判断基準時間設定画面を説明するためのＬＣＤ画面表示図である。
【図７】本発明の実施形態である携帯電話機の状態を時間軸で示す図である。
【図８】従来技術の携帯電話機の実施例であるブロック図である。
【符号の説明】
１  アンテナ
２  送受信回路
３  音声処理部
４  送受話器
５  受信チャンネル判別回路
６  位置情報判別回路
７  マナーモードタイマ回路
８  マナーモード制御回路
９  キースイッチ
１０  制御回路
１１  着信音出力回路
１２  ブザー
１３  記憶回路
１４  表示部
２１  基地局
２２  基地局
２３  基地局
２４  電波圏内
２５  電波圏内
２６  電波圏内
２７  携帯電話機
２８  電車線路
３１  基地局
３２  位置情報
３３  携帯電話機
３４  位置情報
３５  判断基準時間リスト
３６  判断基準時間
３７  ネットワークサーバ
５０１  アンテナ
５０２  送受信回路
５０３  音声処理部
５０４  送受話器
５０５  受信チャンネル判別回路
５０６  位置情報入力設定回路
５０７  マナーモードタイマ回路
５０８  マナーモード制御回路
５０９  キースイッチ
５１０  制御回路
５１１  着信音出力回路
５１２  ブザー
５１３  記憶回路
５１４  表示部
６１  ＬＣＤ画面
６２  設定バー
７１  受信チャンネル切り替え
７２  受信チャンネル切り替え
７３  受信チャンネル切り替え
７４  判断基準時間
７５  追加判断基準時間
７６  経過時間
８０１  アンテナ
８０２  送受信回路
８０３  音声処理部
８０４  送受話器
８０５  制御回路
８０６  キースイッチ
８０７  着信音出力回路
８０８  ブザー
８０９  記憶回路
８１０  表示部
【図１】
2004364061.tif 000003
【図２】
2004364061.tif 000004
【図３】
2004364061.tif 000005
【図４】
2004364061.tif 000006
【図５】
2004364061.tif 000007
【図６】
2004364061.tif 000008
【図７】
2004364061.tif 000009
【図８】
2004364061.tif 000010